(57)【要約】【課題】フロート式ポンプ１の吸込口５の開口周縁部５２に浮遊物が堆積することを防止する。【解決手段】浮遊物除去装置６は、フロート式ポンプ１の吸込口５の、上下方向に延びる中心軸Ｃに沿って吸込口５内に挿入される回転軸部６１と、回転軸部６１の下端部に取り付けられてポンプの駆動に伴う吸込水流によって中心軸Ｃ回りに回転する羽根車６２と、回転軸部６１の上端部に取り付けられかつ、羽根車６２の回転に伴い吸込口５の開口周縁部５２近傍において中心軸Ｃ回りに回転する回転除去部６３と、を備える。【選択図】図２
2008144599.tif 000002
【特許請求の範囲】
【請求項１】
水面近傍において上向きに開口した吸込口を有しかつ、その水面近傍で浮遊する浮遊物を前記吸込口から吸い込むフロート式ポンプにおける前記吸込口に対して、取り付けられる本体部を備えた浮遊物除去装置であって、
前記本体部は、
前記吸込口の、上下方向に延びる中心軸に沿って前記吸込口内に挿入される回転軸部と、
前記回転軸部の上端部に取り付けられかつ、前記ポンプの駆動に伴い前記回転軸部が回転することによって、前記吸込口の開口周縁部近傍において前記中心軸回りに回転する回転除去部と、
を備えていることを特徴とするフロート式ポンプの浮遊物除去装置。
【請求項２】
請求項１に記載の浮遊物除去装置において、
前記本体部は、前記回転軸部に取り付けられて前記吸込口内に配置されかつ、前記ポンプの駆動に伴う吸込水流によって、前記回転軸部と共に前記中心軸回りに回転する羽根車をさらに備えていることを特徴とするフロート式ポンプの浮遊物除去装置。
【請求項３】
請求項１に記載の浮遊物除去装置において、
前記回転軸部は、前記ポンプの駆動軸に対して同軸に連結されていることを特徴とするフロート式ポンプの浮遊物除去装置。
【請求項４】
請求項２に記載の浮遊物除去装置において、
前記回転除去部は、前記中心軸から径方向の外方に向かって延びるブレード状であって、周方向に等間隔を空けて複数取り付けられており、
前記複数のブレード状回転除去部はそれぞれ、前記吸込口の開口周縁部上に載置されていることを特徴とするフロート式ポンプの浮遊物除去装置。
【請求項５】
請求項１〜４のいずれか１項に記載の浮遊物除去装置において、
前記本体部は、前記吸込口の内周面又は外周面に対し当接することで、前記回転軸部が前記中心軸上となるように、前記本体部を前記吸込口に対して支持する軸支持部をさらに備えていることを特徴とするフロート式ポンプの浮遊物除去装置。
【請求項６】
請求項５に記載の浮遊物除去装置において、
前記軸支持部は、前記各ブレード状回転除去部の下面に対して取り付けられていることを特徴とするフロート式ポンプの浮遊物除去装置。
【請求項７】
請求項１〜６のいずれか１項に記載の浮遊物除去装置において、
前記本体部の上端部分には開口が形成されており、それによって前記吸込口の上向き開口は、前記本体部の開口を通じて上方に露出していることを特徴とするフロート式ポンプの浮遊物除去装置。
【発明の詳細な説明】
【技術分野】
【０００１】
本発明は、水面近傍において上向きに開口した吸込口を有しかつ、その水面近傍で浮遊する浮遊物を前記吸込口から吸い込むフロート式ポンプにおける前記吸込口に対し取り付けられる浮遊物除去装置に関する。
【背景技術】
【０００２】
従来より、汚水池等において水面上に浮遊するスカム等の浮遊物を取り除くために、フロートによってその水面に浮かぶフロート式ポンプが知られている（例えば特許文献１参照）。
【０００３】
このフロート式ポンプは、水面近傍において上向きに開口した吸込口を有しており、ポンプの駆動によって、水面近傍で浮遊する浮遊物を前記吸込口から吸い込むように構成される。
【特許文献１】実公昭５６−１７７５６号公報
【発明の開示】
【発明が解決しようとする課題】
【０００４】
ところで、前記フロート式ポンプの吸込口は、前述の通り水面近傍において上向きに開口していることから、その開口周縁部に浮遊物が堆積してしまう場合がある。その場合、堆積した浮遊物が吸込口を囲む壁のようになり、その壁によってポンプを駆動したときに吸込口への水の流入が阻害されてしまうという問題があった。
【０００５】
本発明は、かかる点に鑑みてなされたものであり、その目的とするところは、フロート式ポンプの吸込口の開口周縁部に浮遊物が堆積することを防止することにある。
【課題を解決するための手段】
【０００６】
本発明は、前記フロート式ポンプの吸込口に対し、開口周縁部近傍で回転する回転除去部を備えた浮遊物除去装置を取り付けることによって、その開口周縁部に浮遊物が堆積することを防止乃至開口周縁部に堆積した浮遊物を除去するようにした。
【０００７】
本発明の一側面によると、浮遊物除去装置は、水面近傍において上向きに開口した吸込口を有しかつ、その水面近傍で浮遊する浮遊物を前記吸込口から吸い込むフロート式ポンプにおける前記吸込口に対して、取り付けられる本体部を備える。
【０００８】
前記本体部は、前記吸込口の、上下方向に延びる中心軸に沿って前記吸込口内に挿入される回転軸部と、前記回転軸部の上端部に取り付けられかつ、前記ポンプの駆動に伴い前記回転軸部が回転することによって、前記吸込口の開口周縁部近傍において前記中心軸回りに回転する回転除去部と、を備える。
【０００９】
フロート式ポンプは、水面近傍で上向きに開口する吸込口を有し、その吸込口から、水面近傍に浮遊する浮遊物を吸い込む。このため、前述したように、吸込口の開口周縁部には、浮遊物が堆積し易い。
【００１０】
前記の構成では、その吸込口に対して浮遊物除去装置が取り付けられており、この浮遊物除去装置は、ポンプの駆動に伴い回転する回転軸部に取り付けられた回転除去部を有している。このため、ポンプを駆動させたときに、回転除去部が開口周縁部近傍で回転するため、その開口周縁部に堆積している浮遊物は除去されると共に、開口周縁部に浮遊物が堆積すること自体が抑制される。
【００１１】
そうして、開口周縁部に堆積した浮遊物によってフロート式ポンプの吸い込みが阻害されることが防止され、浮遊物の吸い込みが良好になる。
【００１２】
また、前記の浮遊物除去装置は、ポンプ駆動に伴い回転するため、その回転のために別途動力源を備えることが不要であり、経済的である。
【００１３】
ここで、前記本体部は、前記回転軸部に取り付けられて前記吸込口内に配置されかつ、前記ポンプの駆動に伴う吸込水流によって、前記回転軸部と共に前記中心軸回りに回転する羽根車をさらに備えている、としてもよい。
【００１４】
こうすることで、ポンプを駆動させたときに、その吸込水流によって回転軸部と共に羽根車が回転するため、回転除去部が開口周縁部近傍で回転することになる。
【００１５】
これとは異なり、前記回転軸部は、前記ポンプの駆動軸に対して同軸に連結されている、としてもよい。
【００１６】
こうすることで、ポンプを駆動させたときに回転軸部が回転するため、回転除去部が開口周縁部近傍で回転することになる。
【００１７】
前記回転除去部は、前記中心軸から径方向の外方に向かって延びるブレード状であって、周方向に等間隔を空けて複数取り付けられており、前記複数のブレード状回転除去部はそれぞれ、前記吸込口の開口周縁部上に載置されている、としてもよい。
【００１８】
こうすることによって浮遊物除去装置は、その羽根車及び回転軸部をフロート式ポンプの吸込口に内挿すると共に、ブレード状回転除去部をフロート式ポンプの開口周縁部に対し載置することだけで取り付けが完了する。そのため、その取り付けが極めて容易であると共に、既存のフロート式ポンプに対して後付けで容易に取り付けることが可能になる。
【００１９】
前記本体部は、前記吸込口の内周面又は外周面に対し当接することで、前記回転軸部が前記中心軸上となるように、前記本体部を前記吸込口に対して支持する軸支持部をさらに備えている、としてもよい。
【００２０】
軸支持部によって本体部の回転が支持されるため、本体部は安定して回転し、それによって開口周縁部に堆積する浮遊物が効果的に除去される。
【００２１】
前記軸支持部は、前記各ブレード状回転除去部の下面に対して取り付けられている、としてもよい。
【００２２】
こうすることで、浮遊物除去装置が取り付けられた吸込口の開口を上方から見たときに、軸支持部が回転除去部の下に隠れることになる。これによって、例えば軸支持部に浮遊物が引っ掛かったりすることが防止される。つまり、例えば軸支持部と回転除去部とを別体にして、吸込口の開口を上方から見たときに、その軸支持部及び回転除去部が共に露出した状態にあるときには、軸支持部又は回転除去部に浮遊物が付着・堆積等する確率が高くなるのに対し、軸支持部を回転除去部に一体的に取り付けて、軸支持部が隠れる分だけ浮遊物が付着・堆積等する部分が少なくなる。そうして軸支持部に浮遊物が引っ掛かったりすることが防止される結果、フロート式ポンプのメンテナンス性が向上する。
【００２３】
前記本体部の上端部分には開口が形成されており、それによって前記吸込口の上向き開口は、前記本体部の開口を通じて上方に露出している、とすることが好ましい。
【００２４】
こうすることで、浮遊物を吸込口から良好に吸い込むことが可能になり、フロート式ポンプの、浮遊物の吸込効率が向上すると共に、浮遊物除去装置に対して浮遊物が付着・堆積等することが抑制される。
【発明の効果】
【００２５】
以上説明したように、本発明によると、フロート式ポンプの吸込口に、その開口周縁部で回転する回転除去部を備えた浮遊物除去装置を取り付けることによって、開口周縁部に浮遊物が堆積することが防止され、それによってフロート式ポンプの吸い込みを良好に保つことができる。また、フロート式ポンプの駆動に伴い浮遊物除去装置は作動（回転）するため、浮遊物除去装置を作動させるためだけの動力源を別途備える必要がなく、省エネルギ化の点で有利になる。
【発明を実施するための最良の形態】
【００２６】
以下、本発明の実施形態を図面に基づいて説明する。尚、以下の好ましい実施形態の説明は、本質的に例示に過ぎず、本発明、その適用物或いはその用途を制限することを意図するものではない。
【００２７】
図１〜３は、本発明の実施形態に係る浮遊物除去装置が取り付けられたフロート式ポンプ１を示している。このフロート式ポンプ１は、汚水池等の水面に浮かんで配設されるポンプであり、その水面近傍に浮遊するスカム等の浮遊物を除去するためのものである。つまり、このフロート式ポンプ１は、図示省略のコントローラによって、例えば２４時間タイマー等を利用して、所定の時刻に所定の時間だけ駆動するように制御され、それによって、汚水池等の水面近傍に浮遊するスカム等の浮遊物が定期的に取り除かれることになる。
【００２８】
フロート式ポンプ１は、遠心式のポンプ本体２と、ポンプ本体２を支持するフレーム３と、フレーム３に対して取り付けられたフロート４と、を備えている。
【００２９】
前記ポンプ本体２は、遠心羽根車２１と、遠心羽根車２１を覆うポンプケーシング２２と、遠心羽根車２１を回転させる水中モータ２３とを、備えている。
【００３０】
前記水中モータ２３は、モータ（図示省略）と、そのモータを覆うモータケーシング２３ａとを備えており、前記ポンプケーシング２２の後面側（図１，２における左側）に、このポンプケーシング２２に対して固定されている。前記モータの駆動軸２４は水平方向に配設されて前方（図１，２における右方向）に延びており、ポンプケーシング２２内に位置する駆動軸２４の先端部には、前記遠心羽根車２１が取り付けられている。これによって遠心羽根車２１は、水平方向に延びる軸回りに回転する。
【００３１】
前記遠心羽根車２１を収容するポンプケーシング２２の前側には、そのポンプケーシング２２の中央部から前方に向かって突出すると共に、上方に向かって屈曲した吸込口５が取り付けられている。吸込口５は、上方に向かうにつれてその径が拡大するベルマウス形状とされて上向きに開口しており、その上向きの開口５１の周縁部５２は径方向に拡がるフランジ状になっている。
【００３２】
前記ポンプケーシング２２には、下方に向かって突出する吐出部２５が形成されている。吐出部２５の下端開口には、水中モータ２３の下方位置を後方に向かって延びる吐出管２６が取り付けられており、その吐出管２６における後方に開口した吐出口２６ａには、図示は省略するが、可撓性を有する別の吐出管が取り付けられる。それらの吐出管を介して、前記吸込口５から吸い込んだ浮遊物が汚水池等の外に排出される。
【００３３】
前記フレーム３は、前記ポンプ本体２を中心とした前後左右のそれぞれにおいて、上下方向に延びて配設された４つの上下フレーム３１を含む、略直方体状の枠型に形成されており、ポンプケーシング２２の前部がブラケット２７を介してフレーム３の下端部に固定されることによって、前記ポンプ本体２は、フレーム３に支持されている。
【００３４】
前記フロート４は、例えば発砲ポリエチレンからなり、前記フレーム３における４つの上下フレーム３１それぞれの上端部に対し外挿された状態で固定されている。これらポンプ本体２を囲むように配置された４つのフロート４によって、フレーム３、及びこのフレーム３に固定されたポンプ本体２が水面に浮くようになると共に、その吸込口５の開口５１は、例えば水面に対して所定の距離だけ下方位置となるように位置づけられる。このように、吸込口５の開口５１が水面近傍に位置づけられることにより、ポンプ本体２を駆動したときに、水面近傍に浮遊する浮遊物が前記開口５１から吸込口５内に吸い込まれることになる。
【００３５】
そして、前記フロート式ポンプ１の吸込口５には、図１〜４に示すように、その開口周縁部５２に堆積する浮遊物を除去するための浮遊物除去装置６が取り付けられている。
【００３６】
この浮遊物除去装置６は、吸込口５内に挿入される回転軸部６１と、回転軸部６１の下端部に取り付けられた羽根車６２と、回転軸部６１の上端部に取り付けられた回転除去部６３と、回転除去部６３に対して取り付けられた軸支持部６４と、を備えている。
【００３７】
前記回転軸部６１は、吸込口５の中心軸Ｃに沿って、上下方向に延びて配設されており、その回転軸部６１の下端部に取り付けられた羽根車６２は、吸込口５内の所定位置に配置されている。
【００３８】
この羽根車６２は、回転軸部６１に対して周方向に等間隔を空けて取り付けられた複数の（図例では３枚の）羽根６２ａを備えており、後述するように、水中モータ２３の駆動に伴う吸込水流によって前記中心軸Ｃ回りに回転軸部６１と共に回転するようになっている。つまりこの羽根車６２は、吸込口５をケーシングとした軸流羽根車となるように構成されている。また、各羽根６２ａの前縁（上縁）は、径方向の外方に向かって下向きに傾斜しており、これによって、吸い込んだ浮遊物が羽根６２ａに引っ掛かることを抑制している。
【００３９】
前記回転軸部６１の上端には、この回転軸部６１よりも大径でかつ、吸込口５よりも小径の取付円板６５が固定されており、この取付円板６５から、それぞれ径方向外方に向かって延びるブレード状の回転除去部６３が、周方向に等間隔を空けて複数（図例では３つ）取り付けられている。つまり、各回転除去部６３は取付円板６５に対して放射状に取り付けられている。尚、ブレード状回転除去部６３の数は特に限定されない。
【００４０】
各回転除去部６３の先端部は、前記吸込口５の開口周縁部５２の位置まで延びており、その各先端部は開口周縁部５２上に載置されている。また、各回転除去部６３の下面は、図５に示すように、断面円弧状に形成されており、これによって、各回転除去部６３は、開口周縁部５２に対して点接触するようにされている。また、各回転除去部６３の先端部の上面は、その基端側から先端側に向かって先細となるようにテーパ状に形成されている。
【００４１】
そして、前記軸支持部６４は、各回転除去部６３の下面から下方に突出して取り付けられており、それによって、この複数の軸支持部６４は、周方向に等間隔を空けた状態で、それぞれ前記吸込口５の上端内周面に対して略当接するようになっている。
【００４２】
前記構成の浮遊物除去装置６は、前記フロート式ポンプ１における吸込口５の上向きの開口５１から吸込口５に内挿されて取り付けられる。その取り付け状態では、前記各回転除去部６３の下面が開口周縁部５２に対して載置された状態にされ、それによって羽根車６２は、吸込口５内の所定位置に配置される。また、各軸支持部６４は、吸込口５の内周面に対して略当接するようになり、これによって浮遊物除去装置６は、吸込口５の中心軸Ｃ回りに、吸込口５に対して相対的に回転可能にされる。尚、本実施形態では、浮遊物除去装置６は水面下に位置している。
【００４３】
そして、前述の通り、所定の時刻に前記ポンプ本体２が駆動することによって、吸込口５から水及び浮遊物を吸い込んだときには、その吸込水流によって前記羽根車６２が回転し、それによって各回転除去部６３が、開口周縁部５２上で回転する。この回転除去部６３の回転によって、開口周縁部５２上に浮遊物が堆積していても、その浮遊物が開口周縁部５２から除去され、その除去された浮遊物は最終的には吸込口５から吸い込まれる。また、各回転除去部６３の回転により開口周縁部５２に浮遊物が堆積すること自体が抑制される。その結果、開口周縁部５２上に浮遊物が堆積し、それによって浮遊物が吸込口５を囲む壁のようになっているときには、ポンプを駆動したときに吸込口５への水の流入が阻害されてしまうところを、そうした浮遊物の堆積が抑制されることによって、吸込口５への、水及び浮遊物の流入が確実に行われる。その結果、汚水池等に浮遊する浮遊物をフロート式ポンプ１によって効果的に取り除くことができる。
【００４４】
また、前記の浮遊物除去装置６は、ポンプ本体２を駆動することに伴う吸込水流によって回転するため、浮遊物除去装置６を回転させるための別の駆動源が不要であり、省エネルギ化を図ることができる。
【００４５】
また、この浮遊物除去装置６は、フロート式ポンプ１の吸込口５に対して挿入してその開口周縁部５２に載置することだけでその取り付けが完了するため、既存のフロート式ポンプ１に対して、後付けで容易に取り付けることができる。
【００４６】
また、各回転除去部６３の下面が、断面円弧状に形成されていることにより、回転除去部６３と開口周縁部５２とは点接触するため、浮遊物除去装置６の回転抵抗が小さくなり、吸込水流によって開口周縁部５２が良好に回転し、浮遊物除去効果がさらに向上する。
【００４７】
さらに、浮遊物除去装置６の上端部は、吸込口５の開口５１よりも小径の取付円板６５と、その取付円板６５から放射状に延びるブレード状の回転除去部６３と、からなり、図１に示すように、吸込口５の上向き開口５１は上方に露出している。これによって、水及び浮遊物を吸込口５から良好に吸い込むことができる。尚、取付円板６５の径は、適宜設定すればよい。
【００４８】
加えて、浮遊物除去装置６の回転を支持する軸支持部６４は、回転除去部６３の下面に対して一体的に取り付けられているため、その軸支持部６４は、吸込口５を上方から見て（平面視で）吸込口５内で露出せず（図１参照）、それによって例えば浮遊物がその軸支持部６４に引っ掛かったりすることが抑制される。その結果、フロート式ポンプ及び浮遊物除去装置６のメンテナンス性を向上させることができる。
【００４９】
尚、前記の浮遊物除去装置６は羽根車６２を備えていて、ポンプ本体２の駆動に伴う吸込水流によって各回転除去部６３を開口周縁部５２上で回転させるようにしているが、例えば図６に示すように、浮遊物除去装置９を、水中モータ７３の駆動軸７４に連結させてもよい。
【００５０】
すなわち、図６に示すフロート式ポンプのポンプ本体７は、その吸込口８が、途中で屈曲せずに、水中モータ７３の駆動軸７４と同軸に上下方向に延びていると共に、その駆動軸７４の先端（上端）は、吸込口８内の位置まで延びて配置されている。尚、符号７１は遠心羽根車、符号７２はポンプケーシング、符号７５は吐出部である。
【００５１】
一方、浮遊物除去装置９は、回転軸部９１、回転除去部９３と、軸支持部９４と、取付円板９５とを備えていて、図２等に示す浮遊物除去装置６に対し羽根車を省略した構成となっており、その回転軸部９１の下端は、前記駆動軸７４の上端に対してカップリング１００を介して互いに連結されている。尚、カップリング１００は、浮遊物除去装置９を吸込口８に取り付けた状態（各回転除去部９３の下面を開口周縁部８２に対して載置した状態）において、回転軸部９１と駆動軸７４とを一体回転可能に連結するために、長さ調整を可能とするものであり、このカップリング１００によって、浮遊物除去装置９を、種々のフロート式ポンプに対し容易に取り付けが可能になる。
【００５２】
この構成でも、前記ポンプ本体７が駆動したときに各回転除去部９３が、開口周縁部８２上で回転する。従って、開口周縁部８２上の浮遊物が除去されると共に、開口周縁部８２に浮遊物が堆積すること自体が抑制される。
【００５３】
また、前記の浮遊物除去装置９も、ポンプ本体７を駆動することに伴い回転するため、浮遊物除去装置９を回転させるための別の駆動源が不要であり、省エネルギ化を図ることができると共に、既存のフロート式ポンプに対して、後付けで容易に取り付けることが可能である。
【００５４】
尚、前記の浮遊物除去装置６は、その各ブレード状の回転除去部６３が水平方向に延びて配設されていたが、例えば図７に示すように、各回転除去部６７を径方向の外方に向かって下方に傾斜するように配置してもよい。この場合においては、図７に示すように、取付円板６６が水面よりも上方に位置するようにしてもよい。こうすることで、取付円板６６等が水面上に位置していることで、浮遊物を吸い込む際の障害物が少なくなり、浮遊物の吸い込みがさらに良好になる。尚、こうした構成は、図６に示す浮遊物除去装置９に対しても、同様に適用可能である。
【００５５】
また、前記実施形態では、各軸支持部６４，９４を吸込口５，８の内周面に当接させるべく、その各軸支持部６４，９４を各回転除去部６３，９３における径方向の所定位置に取り付けていたが、例えば図示は省略するが、各軸支持部を吸込口５，９の外周面（例えば開口周縁部５２，８２の外周面）に対して当接させるべく、各軸支持部を各回転除去部６３，９３の先端部に取り付けるようにしてもよい。また、各軸支持部６４，９４は、回転除去部６３，９３とは別体にして、例えば取付円板６５，９５に取り付けるようにしてもよい。
【００５６】
さらに、図２等に示す、浮遊物除去装置６においては、例えば羽根車６２における各羽根６２ａの端部を吸込口５の内周面に略当接させるようにすることによって、軸支持部６４を省略するようにしてもよい。
【００５７】
加えて、図２等に示す、浮遊物除去装置６においては、各回転除去部６３を開口周縁部５２上に載置するようにしているが、例えば各軸支持部６４の下端を、下方に向かって縮径するベルマウス状の吸込口５の内周面に当接させること等によって、浮遊物除去装置６を吸込口５に対して取り付ける（浮遊物除去装置６の下方への移動を規制する）ようにしてもよい。その場合は、各回転除去部６３を開口周縁部５２に当接させるのではなく、開口周縁部５２から若干離した状態としてもよい。
【産業上の利用可能性】
【００５８】
以上説明したように、本発明は、フロート式ポンプの吸込口における、開口周縁部に浮遊物が堆積することを防止する上で有用である。
【図面の簡単な説明】
【００５９】
【図１】本発明に係る浮遊物除去装置が取り付けられたフロート式ポンプの平面図である。
【図２】前記フロート式ポンプの一部破断の断面図である。
【図３】前記フロート式ポンプの正面図である。
【図４】浮遊物除去装置の斜視図である。
【図５】浮遊物除去装置における回転除去部の横断面図である。
【図６】他の実施形態に係るフロート式ポンプの一部破断の断面図である。
【図７】さらに別の実施形態に係る浮遊物除去装置の断面図である。
【符号の説明】
【００６０】
１    フロート式ポンプ
５，８    吸込口
５１  開口
５２，８２  開口周縁部
６，９    浮遊物除去装置（本体部）
６１，９１  回転軸部
６２  羽根車
６３，９３  回転除去部
６４，９４  軸支持部
【図１】
2008144599.tif 000003
【図２】
2008144599.tif 000004
【図３】
2008144599.tif 000005
【図４】
2008144599.tif 000006
【図５】
2008144599.tif 000007
【図６】
2008144599.tif 000008
【図７】
2008144599.tif 000009